(57)【要約】【解決手段】主流路と、主流路から分岐する支流路とを備える分岐管を有し、支流路の先端部に内栓室を形成し、内栓室内に、支流路の先端開口部を閉塞するための栓部と、この栓部に接合され、外部からの押圧力により開栓可能な程度に栓部を開口部側に付勢する付勢部材とを備えた内栓を配設すると共に、上記支流路の内栓室と主流路との間に、開口部から主流路への流れを許容し、主流路から開口部への流れを遮断する逆止弁を設けた医療用混注管。【効果】シリンジにより薬液を確実に注入することができ、注入後には自動的に閉栓されて輸液流路の気密が保たれるため、簡便な操作で薬液の注入が可能であり、繰り返し注入しても気密性を高く維持でき、また、万一内栓により支流路の遮断ができなかった場合でも、輸液の液圧を利用して逆止弁により輸液の漏出を遮断することができ、混注操作時の輸液の漏出を確実に防止することができる。【選択図】      図１
2005034168.tif 000002
【特許請求の範囲】
【請求項１】
両端に輸液管が連結される主流路と、この主流路から分岐する支流路とを備える分岐管を有する医療用混注管であって、
上記支流路の先端部に内栓室を形成し、この内栓室内に、上記支流路の先端開口部を閉塞するための栓部と、この栓部に接合され、外部からの押圧力により開栓可能な程度に上記栓部を上記開口部側に付勢する付勢部材とを備えた内栓を配設すると共に、上記支流路の内栓室と主流路との間に、上記開口部から上記主流路への流れを許容し、上記主流路から上記開口部への流れを遮断する逆止弁を設けたことを特徴とする医療用混注管。
【請求項２】
上記支流路の内栓室と主流路との間に存して、上記内栓室に向かって漸次小径となる縮径部と、上記主流路に向かって漸次大径となる拡径部と、上記縮径部及び拡径部を連絡する連絡部と、上記拡径部から連設され上記拡径部より大径の調整部とからなる弁室を形成し、
上記弁室内に、基体部と、外周面が上記弁室の縮径部の周面と同一形状である矢尻部と、外周面が上記弁室の拡径部の周面と同一形状である矢羽部とからなり、上記矢尻部と上記矢羽部とが、上記弁室の縮径部と拡径部との間隔と等距離に離間するように基体部から連設された逆止弁を支流路方向移動可能に配設したことを特徴とする請求項１記載の医療用混注管。
【請求項３】
更に、上記逆止弁の主流路側の端面に凹部を形成し、上記弁室と主流路との間の流路を上記凹部に対向させて設けると共に、上記弁室の主流路側の面に、上記逆止弁が上記主流路側の面と接したときに上記弁室の内栓室側と上記凹部との連絡路となる凹陥路を形成したことを特徴とする請求項２記載の医療用混注管。
【請求項４】
上記付勢部材が可撓性を有する樹脂からなるバネであることを特徴とする請求項１乃至３のいずれか１項記載の医療用混注管。
【請求項５】
上記逆止弁がゴムで形成されていることを特徴とする請求項１乃至４のいずれか１項記載の医療用混注管。
【請求項６】
上記分岐管の内栓室側の先端部に、シリンジ用ルアーロック部材を螺合して固定するための螺旋状の係止突条を設けたことを特徴とする請求項１乃至５のいずれか１項記載の医療用混注管。
【発明の詳細な説明】
【０００１】
【発明の属する技術分野】
本発明は、輸液に薬液を混注するために輸液管の途中に接続して用いる医療用混注管に関するものであり、特に、混注操作時の輸液の漏出を確実に防止でき、混注操作を繰り返しても高い気密性を維持することができる耐久性の高い医療用混注管に関する。
【０００２】
【従来の技術】
医療現場において用いられる輸液管としては、輸液や輸血を行う際に送液路に薬液を混注する場合を想定して、輸液管の途中に混注管を設け、薬液の注入路となる分岐路を確保したものが一般的に用いられている。
【０００３】
このような混注管としては、従来、分岐路の先端部にゴム製の栓を設け、この栓に穿刺針を貫通させて薬液を注入するものが、簡便性が高いため多く用いられてきた。しかしながら、この方法のものは、穿刺針を数回貫通させると、穿刺針を貫通させてできた孔が大きくなって、ここから輸液の漏れが起こってしまうという問題があり、繰り返し注入する場合には耐久性が低いものであった。
【０００４】
また、緊急救命処置のような、薬液を短時間で大量に注入する場合などに用いられるものとして、分岐路の開口部にシリンジの先端を挿入して注入する方法を採用した混注管があり、この場合、開口部とシリンジとの接合を確実とするためにシリンジ用ルアーロック機構を用いたものもある。また、近年では、薬液種毎にルアーロック形状を変えれば、薬液の混注に際する薬液の取り違えを防止することが可能であることから、混注管としてルアーロック機構を採用してシリンジを直接混注管に接合して薬液を注入する方法がいずれの用途においても主流となりつつある。
【０００５】
このような、シリンジを直接接合する混注管としては、例えば特表平８−５００９８３号公報（特許文献１）に記載されているカップリング器具を用いたものがある。このカップリング器具は、シリンジの挿入口に、中央部にスリットを形成した弾性を有するダイヤフラムを設け、シリンジをこのスリットを貫通させて挿入することにより薬液を注入でき、シリンジを引き抜いた後はスリットが閉まることにより気密が保たれるものであり、このカップリング機構を混注管の支流路先端に設ければ、混注管として用いることができるものであるが、このようなカップリング機構を用いた場合、上述した穿刺針を用いる場合と同様に、繰り返し注入すると、次第にスリットが広がって気密性が失われてしまうという問題がある。
【０００６】
また、特表２０００−５０１９６３号公報（特許文献２）には、内部に密封手段に被覆された穿刺針を有する医療用弁が記載され、この弁にシリンジを挿入することにより、内部に設けられた穿刺針を被覆する密封手段が圧縮されて穿刺針の孔が露出し、これにより薬液を注入でき、シリンジを引き抜いた後は、密封手段が元の大きさに戻って穿刺針の孔を覆うことにより気密が保たれるものであり、このカップリング機構を混注管の分岐路先端に設ければ混注管として用いることができるものであるが、この場合も穿刺針を用いるため繰り返し耐久性が充分とは言えない。
【０００７】
【特許文献１】
特表平８−５００９８３号公報
【特許文献２】
特表２０００−５０１９６３号公報
【０００８】
【発明が解決しようとする課題】
本発明は、上記事情に鑑みなされたもので、混注操作時の輸液の漏出を確実に防止でき、混注操作を繰り返しても高い気密性を維持することができる耐久性の高い医療用混注管を提供することを目的とするものである。
【０００９】
【課題を解決するための手段及び発明の実施の形態】
上述したような繰り返し注入による気密性の低下の問題を改良するものとしては、例えば、図６に示されるような混注管が考えられる。この混注管は、Ｔ字状の分岐管ａの支流路上に内栓室ｂを形成し、この内栓室ｂ内に、外周部にゴム製のＯ−リングｄを備える内栓ｃとこの内栓ｃに接合された蛇腹状のゴム製バネｅとを設け、内栓ｃをバネｅの伸長力により支流路の先端開口部に付勢してこの開口部を閉栓し、シリンジの先端が挿入される際には、押圧力により開栓することができるようにしたものであり、内栓ｃに取り付けられたＯ−リングｄと支流路壁とが密着することにより気密が保たれるものである。この場合、支流路を密閉する栓にはスリットを形成しておらず、注入時に新たに孔が形成されることもないため、前述した混注管に比べて繰り返し注入しても気密性を高く維持できるものである。
【００１０】
しかしながら、この場合であっても、シリンジを引き抜いた後に、Ｏ−リングと支流路壁との間に隙間ができたり、注入操作を繰り返すうちにＯ−リングと支流路壁との密着が弱くなったりする可能性があり、こうなると主流路から輸液が漏出してしまうことがある、特に、この場合は、上述した穿刺針により形成された孔からの漏出と異なり、一時に大量に漏出してしまう可能性があり、重大な問題を引き起こしかねない。
【００１１】
そこで、本発明は、上記目的を達成するため、両端に輸液管が連結される主流路と、この主流路から分岐する支流路とを備える分岐管を有する医療用混注管であって、上記支流路の先端部に内栓室を形成し、この内栓室内に、上記支流路の先端開口部を閉塞するための栓部と、この栓部に接合され、外部からの押圧力により開栓可能な程度に上記栓部を上記開口部側に付勢する付勢部材とを備えた内栓を配設すると共に、上記支流路の内栓室と主流路との間に、上記開口部から上記主流路への流れを許容し、上記主流路から上記開口部への流れを遮断する逆止弁を設けたことを特徴とする医療用混注管を提供する。
【００１２】
本発明は、分岐管の支流路の先端部に設けられた内栓室内に栓部及び付勢部材からなる内栓が設けられ、この栓部は外部から押圧することにより開栓可能な程度に付勢部材により支流路の先端開口部に付勢されているので、薬液を注入していない通常時においては、支流路の先端開口部が栓部により閉塞されて気密が保たれると共に、開栓時には、シリンジの先端で栓部を付勢部材の押圧力に抗して押圧することにより、付勢部材が縮小すると共に、栓部が内栓室内部に押し込まれて開栓するものである。そのため、シリンジにより薬液を確実に注入することができると共に、注入後には自動的に閉栓されて輸液流路の気密が保たれるため、簡便な操作で薬液の注入が可能であり、注入後の内栓にはスリットや孔がないため、繰り返し注入しても気密性を高く維持できる。
【００１３】
また、本発明は、支流路の内栓室と主流路との間に、支流路の先端開口部から主流路への流れを許容し、主流路から上記開口部への流れを遮断する逆止弁を設けたものであり、支流路への輸液の流れを２段で遮断できるものである。従って、万一内栓により支流路の遮断ができなかった場合であっても、輸液の液圧を利用して逆止弁により輸液の漏出を遮断することができ、混注操作時の輸液の漏出を確実に防止することができる。
【００１４】
更に、本発明は、上述した医療用混注管の特徴を具備するものであって、上記支流路の内栓室と主流路との間に存して、上記内栓室に向かって漸次小径となる縮径部と、上記主流路に向かって漸次大径となる拡径部と、上記縮径部及び拡径部を連絡する連絡部と、上記拡径部から連設され上記拡径部より大径の調整部とからなる弁室を形成し、上記弁室内に、基体部と、外周面が上記弁室の縮径部の周面と同一形状である矢尻部と、外周面が上記弁室の拡径部の周面と同一形状である矢羽部とからなり、上記矢尻部と上記矢羽部とが、上記弁室の縮径部と拡径部との間隔と等距離に離間するように基体部から連設された逆止弁を支流路方向移動可能に配設したこと特徴とする医療用混注管を提供する。
【００１５】
この場合、逆止弁は、弁室内を内栓室側に移動して主流路側からの輸液の液圧により逆止弁の内栓室側の移動端で、縮径部の周面に矢尻部の外周面、拡径部の周面に矢羽部の外周面が、各々同時に接触することにより主流路から先端開口部への流れが遮断される。そのため、逆止弁の弁室内壁への接触箇所が２箇所となるため流れをより確実に遮断できる。また、逆止弁は、シリンジにより薬液を支流路の先端開口部から注入する際は、シリンジからの液圧により弁室内を主流路側に移動して流路が開放されるが、この際、輸液の液圧が逆止弁を弁室内壁に押圧する力が分散されているため、逆止弁の抜けが容易である。
【００１６】
なお、この場合、シリンジにより薬液を注入しているとき、逆止弁は、主流路側の移動端に移動するため、注入後に逆止弁を内栓室側に戻し、弁室の内壁に確実に密着させるためには、例えば、支流路の先端開口部側を下に向けてシリンジのプランジャーを引くなどの操作が必要になる場合がある。
【００１７】
そのため、本発明においては、上記逆止弁の主流路側の端面に凹部を形成し、上記弁室と主流路との間の流路を上記凹部に対向させて設けると共に、上記弁室の主流路側の面に、上記逆止弁が上記主流路側の面と接したときに上記弁室の内栓室側と上記凹部との連絡路となる凹陥路を形成することが好ましい。
【００１８】
逆止弁及び弁室をこのように形成することにより、薬液注入時、逆止弁が上記弁室の主流路側の面と接したときに、弁室の主流路側の面に形成された凹陥路及び逆止弁の主流路側の端面に形成された凹部を経由する流路が確保され、薬液の注入後においては、逆止弁を内栓室側へ押し戻し、弁室の内壁に密着させる主流路側からの流れ（液圧）を、逆止弁に直接与えることができるため、上述したような操作をしなくても、逆止弁を内栓室側に戻し、弁室の内壁に確実に密着させることができ、確実に支流路が遮断される。
【００１９】
以下、実施例を示し、本発明をより具体的に説明する。
図１〜３は、本発明の一実施例に係る医療用混注管Ｍを示すものである。
【００２０】
この医療用混注管Ｍは、図１〜３に示されるように、主流路１１とこの主流路１１から分岐する支流路１２とを備える分岐管１と、外周部にゴム製のＯ−リング２３を備える栓部２１とこの栓部２１に一体に形成された付勢部材（樹脂バネ）２２とからなる内栓２と、逆止弁３とからなるものである。
【００２１】
分岐管１は、主流路１１とこの主流路１１から分岐する支流路１２とが内部に形成されたＴ字管であり、主流路１１の両端には各々輸液流路となる輸液管が連結される。一方、支流路１２には、薬液の注入時にシリンジが接続されて薬液が支流路１２を経由して主流路１１へ送られる。この場合、この分岐管１内に形成された支流路１２の先端部は、内栓２を収容するための内栓室１２１となっており、内栓室１２１は、接続するシリンジの先端部の大きさに合わせて形成された円盤形状の開口部１２１ａと、開口部１２１ａの主流路側に開口部１２１ａよりも大径に形成された略円柱形状の主室１２１ｂからなり、この内栓室１２１内に内栓２が収容される。また、上記分岐管１の内栓室１２１側の先端外周部には、シリンジ用ルアーロック部材を螺合して固定するための螺旋状の係止突条１５が設けられている。
【００２２】
また、支流路１２の内栓室１２１と主流路１１との間は、逆止弁３が収容される弁室１３１となっており、この弁室１３１は内栓室１２１から連続して形成されている。弁室１３１は、内栓室１２１に向かって漸次小径となる円錐台形状の縮径部１３１ａと、主流路１１に向かって漸次大径となる略半球形状の拡径部１３１ｃと、縮径部１３１ａ及び拡径部１３１ｃを連絡する縮径部よりやや大径の円柱形状の連絡部１３１ｂと、拡径部１３１ｃから連設され拡径部１３１ｃより大径の略円盤形状の調整部１３１ｄとから構成されている。また、弁室１３１と主流路１１とを連絡する連絡路１４１が、弁室１３１の主流路１１側の面の中央部に形成されており、この場合、内栓室１２１、弁室１３１及び連絡路１４１は、支流路方向の中心軸が同心となるように連続して形成されている。更に、上記弁室１３１の主流路１１側の面には、逆止弁３が主流路１１側の面と接したときに弁室３の内栓室１２１側と後述する逆止弁３の凹部３２との連絡路となる楕円盤形状の凹陥路１４２が、四方に計４個形成されている。即ち、支流路１２は、これら内栓室１２１、弁室１３１、連絡路１４１及び凹陥路１４２により構成される。
【００２３】
一方、内栓２は、外周部にゴム製のＯ−リング２３を備える栓部２１とこの栓部２１に一体に形成された付勢部材（樹脂バネ）２２とからなり、栓部２１は、内栓室１２１の開口部１２１ａと同一形状の円盤形状の頭部２１ａと、頭部２１ａから連続して徐々に大径になるように形成された頭部２１ａよりやや大径の略円盤形状の胴部２１ｂと、胴部２１ｂの外周面の頭部２１ａ側に形成された溝２３ａにはめ込まれたＯ−リング２３とからなっている。一方、付勢部材２２は、可撓性を有する樹脂で形成されたバネであり、楕円板がつづら折り様に連なった形状のバネ部２２ａと、バネ部２２ａと接合されたリング状の基体部２２ｂから構成されている。この内栓２は、内栓室１２１に収容される前の状態では内栓室１２１の長さより長くなるように形成されており、内栓室１２１に収容されたときにバネ部２２ａが圧縮されて短くなり、これにより、栓部２１が付勢部材２２により開口部側１２１ａに付勢されて支流路１２を閉栓するようになっている。
【００２４】
また、逆止弁３は、基体部３１ｂと、外周面が上記弁室の縮径部１３１ａの周面と同一形状である円錐台形状の矢尻部３１と、外周面が上記弁室の拡径部１３１ｃの周面と同一形状である椀型の矢羽部３１ｃとからなり、主流路１１側の端面に凹部３２を有し、矢尻部３１ａと矢羽部３１ｃとが、弁室１３１の縮径部１３１ａと拡径部１３１ｃとの間隔と等距離に離間するように基体部３１ｂから連設されている。この場合、弁室１３１には、上述したとおり、拡径部１３１ｃから連続して調整部１３１ｄが形成されており、この調整部１３１ｄに逆止弁３が入出することによって逆止弁３が支流路方向に移動するようになっている。そして、この逆止弁３は、内栓室１２側の移動端において、主流路１１からの輸液の液圧により、弁室１３１の縮径部１３１ａの周面に逆止弁３の矢尻部３１ａの外周面、弁室１３１の拡径部１３１ｃの周面に逆止弁３の矢羽部３１ｃの外周面が、各々同時に接触するように形成され、これらが接触することにより主流路１１から開口部１２１ａへの流れを遮断し、逆止弁３がこの位置以外に位置する場合は、逆止弁３と弁室１３１との間の隙間が流路となる。逆止弁３はこのように開口部１２１ａから主流路１１への流れを許容し、主流路１１から開口部１２１ａへの流れを遮断するようになっている。
【００２５】
これら内栓２及び逆止弁３は、図１に示されるように、分岐管１中の内栓室２及び弁室３内に組み入れられる。この場合、分岐管１を、例えば、主流路の中心軸方向に沿って、図２で示すような縦断面を有する２つの部分に半割して形成し、その一方の半割部の内栓室（半割）１２１に内栓２を、その栓部２１を内栓室１２１の開口部（半割）１２１ａに向けて組み入れ、また、弁室（半割）１３１に逆止弁３を、その矢尻部３１ａを弁室１３１の縮径部１３１ａに向けて組み入れてから他方の半割部と重ね合わせ、超音波融着法等の方法で接合することにより混注管Ｍとして一体化することができる。
【００２６】
分岐管の材質としては、コストや成形のしやすさ、更には医療用としての安定性を考慮すると、例えば、ＰＥ、ＰＰ、シクロオレフィンポリマー（ＣＯＰ）、ＰＳ、ＡＢＳ、ＰＭＭＡ、ＡＳ、ＰＣ、ポリエステル、フッ素樹脂等を採用しうるが、超音波融着法を採用できる点からＰＰ、ＰＥ、ＡＢＳが特に好ましい。なお、内栓２及び逆止弁３を組み入れる前の分岐管１の分割数及び分割形状は、上記に限定されず、例えば、分岐管１を３つの部分に適宜な位置で分割し、内栓２及び逆止弁３を組み入れて一体化することも可能である。
【００２７】
内栓２の材質としては、コストや成形のしやすさ、更には医療用としての安定性を考慮すると、例えば、シリコーンゴム、フッ素ゴム等のゴム、ＰＥ、ＰＥ、フッ素樹脂（例えば、ポリテトエラフルオロエチレン等）、シクロオレフィンポリマー（ＣＯＰ）、ＰＳ、ＨＩＰＳ、ＡＢＳ、ＰＭＭＡ、ＡＳ、ＰＣ、ポリウレタン等の樹脂などを用いることが好ましいが、栓部２１と付勢部材２２の一方又はそれら両方を可撓性を有する樹脂、好ましくはＨＩＰＳ、ＡＢＳ、ＰＣ等の可撓性を有する樹脂で一体形成し、Ｏ−リング２３をゴム、好ましくはシリコーンゴム、フッ素ゴム等のゴムで形成することが好ましい。特に、付勢部材２２を、可撓性を有する樹脂とし、Ｏ−リング２３をゴムとすれば、閉栓時、栓部２１と内栓室１２１の内壁とを良好に密着させつつ、強力に付勢することができ、混注管Ｍを薬液の繰り返し注入に対する耐久性が高いものとすることができる。
【００２８】
一方、逆止弁３の材質としては、コストや成形のしやすさ、更には医療用としての安定性を考慮すると、例えば、ＰＥ、ＰＥ、フッ素樹脂（例えば、ポリテトエラフルオロエチレン等）、シクロオレフィンポリマー（ＣＯＰ）、ＰＳ、ＨＩＰＳ、ＡＢＳ、ＰＭＭＡ、ＡＳ、ＰＣ等の樹脂や、スチレン系エラストマー、オレフィン系エラストマー、ポリエステルエラストマー、ポリウレタン系エラストマーなどの熱可塑性エラストマーや、シリコーンゴム、フッ素ゴム、ＮＢＲ、ＩＩＲ、ＩＲ、ＮＲ、ＳＢＲ、ＥＰＤＭ、ＣＲ等のゴムなどを用いることが好ましいが、特に、シリコーンゴム、フッ素ゴムで形成することが好ましい。
【００２９】
次に、この医療用混注管Ｍを用いてシリンジにより薬液ｕを注入する際の操作及び動作について説明する。
まず、図１に示されるように、支流路１２の内栓室１２１には内栓２が組み込まれており、栓部２１が付勢部材２２により開口部側１２１ａに付勢されて支流路１２が閉栓されて密閉されている。また、主流路１１の両端には輸液管（図示せず）が接続されており、これが、輸液の流路をなしている。ここで、図４に示されるように、上記分岐管１の内栓室１２１側の先端外周部に設けられた螺旋状の係止突条１５に、注入する薬液ｕが充填されたシリンジｓのルアーロック部材ｔを螺合して固定する。この際、シリンジｓの先端が、まず内栓２の栓部２１に接触し、シリンジｓを回転させることにより、徐々に弁室１２１内に挿入されてシリンジｓの先端が内栓室１２１内に導入される。
【００３０】
この状態で、シリンジｓのプランジャー（図示せず）を押し込むと、シリンジｓ中の薬液ｕが、図５に示されるように内栓２を、更に若干押し込みつつ内栓室１２１に注入される。内栓室１２１に注入された薬液ｕは、内栓２と内栓室１２１の内壁との間を流れ、更にバネ体２２ａと基体部２２ｂとの間の間隙を通って弁室１３１に流れ込む。この際、逆止弁３が、弁室１３１の内栓室１２１側の移動端にあった場合は、この薬液注入の圧力により、逆止弁３は主流路１１側に押し出され、弁室１３１の調整部１３１ｄに入り、主流路１１側の移動端で主流路１１側の面と接触する。
【００３１】
次に、弁室１３１内に送られた薬液ｕは、逆止弁３と弁室１３１の内壁との間を流れ、更に弁室１３１に形成された凹陥路１４２と、逆止弁３に形成された凹部３２を経由して連絡路１４１に入り、主流路１１に到達する。
【００３２】
一方、薬液ｕの注入が完了した後は、シリンジｓを逆回転させることにより、シリンジｓの先端が徐々に弁室１２１内から外側へ移動して抜き出される。この際、内栓２の栓部２１は、付勢部材２２によって開口部１２１ａ側に付勢されているので、付勢部材２２の伸長力によって徐々に移動してもとの位置に戻り、再び閉栓されて密閉される。このとき、主流路１１には圧力があり、主流路１１側から連絡路１４１を経由して弁室１３１へ向かう輸液の流れが発生し、この流れによって逆止弁３が内栓室１２１側の移動端へ押し戻されて、これにより、弁室１３１の縮径部１３１ａの周面に逆止弁３の矢尻部３１ａの外周面、弁室１３１の拡径部１３１ｃの周面に逆止弁３の矢羽部３１ｃの外周面が、各々同時に接触し、主流路１１から開口部１２１ａへの流れが遮断される。
【００３３】
以上説明したように、この混注管Ｍは、分岐管１の支流路１２の先端部に設けられた内栓室１２１内に栓部２１及び付勢部材２２からなる内栓２が設けられ、この栓部２１は外部から押圧することにより開栓可能な程度に付勢部材２２により内栓室１２１の開口部１２１ａに付勢されているので、薬液を注入していない通常時においては、支流路１２の先端開口部である開口部１２１ａが栓部２１により閉塞されて気密が保たれると共に、開栓時には、シリンジの先端で栓部２１を付勢部材の押圧力に抗して押圧することにより、付勢部材２２が縮小すると共に、栓部２１が内栓室１２１内部に押し込まれて開栓するものである。そのため、シリンジにより薬液を確実に注入することができると共に、注入後には自動的に閉栓されて輸液流路の気密が保たれるため、簡便な操作で薬液の注入が可能であり、注入後の内栓２にはスリットや孔がないため、繰り返し注入しても気密性を高く維持できる。
【００３４】
また、この混注管Ｍは、支流路１２の内栓室１２１と主流路１１との間に、支流路１２の先端開口部１２１ａから主流路１１への流れを許容し、主流路１１から開口部１２１ａへの流れを遮断する逆止弁３を設けたものであり、支流路１２への輸液の流れを２段で遮断するものである。従って、万一内栓２により支流路１２の遮断ができなかった場合であっても、輸液の液圧を利用して逆止弁３により輸液の漏出を遮断することができ、混注操作時の輸液の漏出を確実に防止することができる。
【００３５】
また、この場合、逆止弁３は、主流路１１側からの輸液の液圧により弁室内を内栓室１２１側に移動して逆止弁３の内栓室１２１側の移動端で、縮径部１３１ａの周面に矢尻部３１ａの外周面、拡径部１３１ｃの周面に矢羽部３１ｃの外周面が、各々同時に接触することにより主流路１１から先端開口部１２１ａへの流れが遮断される。そのため、逆止弁３の弁室１３１内壁への接触箇所が２箇所となるため流れをより確実に遮断できる。また、逆止弁３は、シリンジにより薬液を支流路１２の先端開口部１２１ａから注入する際は、シリンジからの液圧により弁室内を主流路１１側に移動して流路が開放されるが、この際、輸液の液圧が逆止弁３を弁室１３１内壁に押圧する力が分散されているため、逆止弁３の抜けが容易である。
【００３６】
更に、薬液注入時、逆止弁３が弁室１３１の主流路１１側の面と接したときに、弁室１３１の主流路１１側の面に形成された凹陥路１４２及び逆止弁３の主流路１１側の端面に形成された凹部３２を経由する流路が確保され、薬液の注入後においては、逆止弁３を内栓室１２１側へ押し戻し、弁室１３１の内壁に密着させる主流路１１側からの流れ（液圧）を、逆止弁３に直接与えることができるため、逆止弁２を内栓室１２１側に戻し、弁室１３１の内壁に確実に密着させることができ、確実に支流路１２が遮断される。
【００３７】
なお、本発明は上記実施例に制限されるものではなく、本発明の要旨を変更しない限り適宜変更することが可能である。
【００３８】
【発明の効果】
本発明によれば、シリンジにより薬液を確実に注入することができると共に、注入後には自動的に閉栓されて輸液流路の気密が保たれるため、簡便な操作で薬液の注入が可能であり、繰り返し注入しても気密性も高く維持できる。また、万一内栓により支流路の遮断ができなかった場合であっても、輸液の液圧を利用して逆止弁により輸液の漏出を遮断することができ、混注操作時の輸液の漏出を確実に防止することができる。そのため、医療の施術者及び被施術者双方の負担を軽減すると共に、安全性を向上させることができる。
【図面の簡単な説明】
【図１】本発明の一実施例に係る混注管を示す縦断面図である。
【図２】本発明の混注管を構成する分岐管、内栓及び逆止弁を示す斜視図である。
【図３】本発明の混注管を構成する分岐管を示す断面図であり、（Ａ）は主流路の中心軸を通る縦断面図、（Ｂ）はＸ−Ｘ’線に沿った横断面図である。
【図４】本発明の混注管にシリンジを接続した状態を示す縦断面図である。
【図５】本発明の混注管を用いて薬液を注入する状態を示す図であり、（Ａ）は主流路の中心軸を通る縦断面図、（Ｂ）はＹ−Ｙ’線に沿った横断面図である
【図６】逆止弁を有していない混注管を示す縦断面図である。
【符号の説明】
１  分岐管
１１  主流路
１２  支流路
１２１  内栓室
１２１ａ  開口部
１３１  弁室
１４１  連絡路
１４２  凹陥路
２  内栓
２１  栓部
２２  付勢部材
２３  Ｏ−リング
３  逆止弁
３２  凹部
【図１】
2005034168.tif 000003
【図２】
2005034168.tif 000004
【図３】
2005034168.tif 000005
【図４】
2005034168.tif 000006
【図５】
2005034168.tif 000007
【図６】
2005034168.tif 000008